(57)【要約】【課題】  建築費用の増大を抑制しつつ、十分な風量を確保可能なサーバ室構造を提供する。【解決手段】  吹出口７Ｂから吹き出す空気をコールドアイルの上方側に導くとともに、当該上方側からコールドアイルに当該空気を供給する空調ダクト１０を備えている。そして、空調ダクト１０は、サーバラック３と反対側から吹出口７Ｂに連通し、かつ、空調機７の上方側を通過してコールドアイル５側に延びている。これにより、二重床構造を採用することなく、空調ダクト１０を介してコールドアイルを構成するコールドアイルに冷風を供給することができる。したがって、建築費用の増大を抑制しつつ、十分な風量の冷風をサーバ室ＳＲに供給でき得る。【選択図】図１
2018169115.tif 000002
【特許請求の範囲】
【請求項１】
複数の情報通信技術用装置を搭載可能なサーバラックが設置されるサーバ室の構造において、
前記サーバ室内のうち前記サーバラックと対向する位置に設置された空調機であって、上方側に空気を吸い込む吸気口を有し、かつ、下方側に冷却された空気を吹き出す吹出口を有する空調機と、
前記吹出口から吹き出す空気を前記サーバラックに隣接する冷風通路の上方側に導くとともに、当該上方側から当該冷風通路に当該空気を供給する空調ダクトとを備え、
前記空調ダクトは、前記サーバラックと反対側から前記吹出口に連通し、かつ、前記空調機の上方側を通過して前記冷風通路側に延びているサーバ室構造。
【請求項２】
前記空調機の上方側には、空気中の塵埃を捕捉するフィルタが設けられており、
前記空調機と前記空調ダクトとは、予め決められた寸法以上、離隔している請求項１に記載のサーバ室構造。
【請求項３】
前記空調ダクトは、
前記吹出口側から上方側に延びる第１ダクト部、
前記空調機側から前記冷風通路に沿って水平方向に延びる複数の第２ダクト部、並びに
前記複数の第２ダクト部の延び方向と交差する方向に延びる分配ダクト部であって、前記第１ダクト部の上方側及び前記複数の第２ダクト部の前記空調機側が接続された分配ダクト部を有している請求項１又は２に記載のサーバ室構造。
【請求項４】
前記複数の第２ダクト部のうちいずれかの第２ダクト部に空気が流通することを禁止する場合と空気の流通を許容する場合とを切り替えるための切替装置を備える請求項１ないし３のいずれか１項に記載のサーバ室構造。
【発明の詳細な説明】
【技術分野】
【０００１】
本願は、複数の情報通信技術用装置を搭載可能なサーバラックが設置されるサーバ室の構造に関する。
【背景技術】
【０００２】
例えば、特許文献１に記載のサーバ室構造では、サーバラックが設置されるサーバ室が二重床構造となっている。つまり、サーバラックが直接的に設置される床の下に冷風通路が設けられ、当該床に設けられ冷風吹出口から冷風をサーバ室内に供給している。
【先行技術文献】
【特許文献】
【０００３】
【特許文献１】特開２０１６−１４４８９号公報
【発明の概要】
【発明が解決しようとする課題】
【０００４】
二重床構造では、床下に冷風通路を構成する空間が設けられているので、十分な床強度を確保するには、建築費用の増大を招くおそれがある。さらに、サーバ室を十分に冷却するには、十分な風量の冷風を必要とする。しかし、風量を確保するには、冷風通路を大きくする必要がるので、建築費用が更に増大するおそれがある。
【０００５】
本願は、上記点に鑑み、建築費用の増大を抑制しつつ、十分な風量を確保可能なサーバ室構造を提供する。
【課題を解決するための手段】
【０００６】
本願に係るサーバ室構造では、サーバ室（ＳＲ）内のうちサーバラック（３）と対向する位置に設置された空調機（７）であって、上方側に空気を吸い込む吸気口（７Ａ）を有し、かつ、下方側に冷却された空気を吹き出す吹出口（７Ｂ）を有する空調機（７）と、吹出口（７Ｂ）から吹き出す空気をサーバラック（３）に隣接する冷風通路（５）の上方側に導くとともに、当該上方側から冷風通路（５）に当該空気を供給する空調ダクト（１０）とを備えている。そして、空調ダクト（１０）は、サーバラック（３）と反対側から吹出口（７Ｂ）に連通し、かつ、空調機（７）の上方側を通過して冷風通路（５）側に延びている。
【０００７】
これにより、二重床構造を採用することなく、空調ダクト（１０）を介してコールドアイルを構成する冷風通路（５）に冷風を供給することができる。したがって、建築費用の増大を抑制しつつ、十分な風量の冷風をサーバ室（ＳＲ）に供給でき得る。
【０００８】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【０００９】
【図１】本発明の実施形態に係るサーバ室構造の説明図である。
【図２】本発明の実施形態に係るサーバ室構造の平面図である。
【図３】本発明の実施形態に係るサーバ室構造の説明図である。
【発明を実施するための形態】
【００１０】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１１】
以下、本発明の実施形態を図面と共に説明する。なお、各図に付された方向を示す矢印等は、各図相互の関係を理解し易くするために記載したものである。本発明は、各図に付された方向に限定されるものではない。
【００１２】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１３】
（第１実施形態）
１．サーバ室の概要
本実施形態は、サーバ室の空調を行う空調システムに本発明に係るサーバ室構造を適用したものである。図１に示すように、サーバ室ＳＲには、複数の情報通信技術用装置（以下、ＩＣＴ装置１という。）が格納されている。
【００１４】
各ＩＣＴ装置１はサーバラック３に搭載されている。サーバラック３は、複数のＩＣＴ装置１が搭載可能な棚である。サーバ室ＳＲ内には、図２に示すように、少なくとも１つのサーバラック３が設置されている。
【００１５】
なお、１つのサーバラック３には、上下方向及び水平方向それぞれの方向において、複数のＩＣＴ装置１を搭載することができる。各サーバラック３は、水平方向に延びている。各サーバラック３に隣接してコールドアイル５が設けられている。
【００１６】
コールドアイル５は、対向するサーバラック３に冷風を供給する冷風通路の一例である。つまり、当該サーバラック３に搭載された複数のＩＣＴ装置１は、コールドアイル５から供給される冷風により冷却される。なお、本実施形態では、複数のサーバラック３が互いに略平行に並んで設けられている。そして、コールドアイル５は、隣り合うサーバラック３間の隙間に構成されている。
【００１７】
サーバ室ＳＲ内のうちサーバラック３の延び方向両端側それぞれには、図１に示すように、空調機７が設置されている。各空調機７は、サーバラック３と対向する位置に設置されている。そして、各空調機７は、吸気口７Ａ及び吹出口７Ｂをそれぞれ少なくとも１つ有する。
【００１８】
各吸気口７Ａは、空調機７の上方側で開口した開口であって、当該空調機７内に空気を吸い込むための開口である。各吹出口７Ｂは、空調機７の下方側で開口して冷却された空気を吹き出す開口である。各空調機７内の上方側（本実施形態では、吸気口７Ａ）にはフィルタ７Ｃが設けられている。
【００１９】
各フィルタ７Ｃは空気中の塵埃を捕捉する。なお、各空調機７内には、吸気口７Ａから吸い込んだ空気を冷却する熱交換器（図示せず。）、及び送風用ファン（図示せず。）等も収納されている。
【００２０】
なお、図１において、紙面左側のサーバ室構造と紙面右側のサーバ室構造とは左右対称構造である。そこで、以下、紙面右側のサーバ室構造を例に本実施形態に係るサーバ室構造の詳細を説明する。なお、個数は「紙面右側のサーバ室構造」に関するものである。
【００２１】
２．サーバ室構造
空調機７の吹出口７Ｂには、図１に示すように、空調ダクト１０が少なくとも１つ接続されている。空調ダクト１０は、吹出口７Ｂから吹き出す空気（以下、冷風という。）をコールドアイル５の上方側に導くとともに、当該上方側からコールドアイル５に冷風を供給するためのダクトである。
【００２２】
空調ダクト１０は、サーバラック３と反対側から吹出口７Ｂに連通し、かつ、空調機７の上方側を通過してコールドアイル５側に延びている。つまり、空調ダクト１０は、空調機７のうサーバラック３と反対側及び上面側を囲むようにしてコールドアイル５側に延びている。そして、当該空調ダクト１０は、コールドアイル５の上方側を閉塞するように、コールドアイル５と平行に延びている。
【００２３】
具体的には、本実施形態に係る空調ダクト１０は、少なくとも１つの第１ダクト部１１、複数の第２ダクト部１２及び分配ダクト部１３等を有して構成されている。第１ダクト部１１は、吹出口７Ｂ側から空調機７の上方側に延びるダクトである。
【００２４】
各第２ダクト部１２は、空調機７側からコールドアイル５に沿って水平方向に延びるダクトである。なお、複数の第２ダクト部１２は、各コールドアイル５の上部に位置してコールドアイル５に沿って延びている（図２参照）。
【００２５】
分配ダクト部１３は、複数の第２ダクト部１２の延び方向と交差する方向に延びている（図２参照）。当該分配ダクト部１３には、各第１ダクト部１１の上方側及び各第２ダクト部１２の空調機７側が接続されている（図１参照）。
【００２６】
つまり、複数の第１ダクト部１１から供給された冷風は、分配ダクト部１３にて集合した後、当該分配ダクト部１３にて複数の第２ダクト部１２それぞれに分配供給される。
そして、空調ダクト１０のうち空調機７の上方側に配索された部分は、空調機７の上端から予め決められた所定寸法以上、離隔している。
【００２７】
なお、上記「所定寸法」とは、空調システムの保守を行う作業員がフィルタ７Ｃ等の交換又は保守・点検を行うことができる程度の寸法である。
空調ダクト１０内には、図１に示すように、少なくとも１つのダンパー１４が設けられている。ダンパー１４は、空気の流通経路を切り替えるための切替装置の一例である。当該ダンパー１４は、複数の第２ダクト部１２のうちいずれかの第２ダクト部１２に空気が流通することを禁止する場合と空気の流通を許容する場合とを切り替える。
【００２８】
なお、本実施形態では、例えば、図３に示すように、第１ダクト部１１内及び分配ダクト部１３内に設けられている。したがって、少なくとも分配ダクト部１３内のダンパー１４が閉じられると、当該閉じられたダンパー１４より空気流れ下流側に位置する第２ダクト部１２には冷風が流れ込まない。
【００２９】
３．本実施形態に係るサーバ室構造の特徴
吹出口７Ｂから吹き出す空気をコールドアイル５の上方側に導くとともに、当該上方側からコールドアイル５に当該空気を供給する空調ダクト１０を備えている。そして、空調ダクト１０は、サーバラック３と反対側から吹出口７Ｂに連通し、かつ、空調機７の上方側を通過してコールドアイル５側に延びている。
【００３０】
これにより、二重床構造を採用することなく、空調ダクト１０を介してコールドアイル５に冷風を供給することができる。したがって、建築費用の増大を抑制しつつ、十分な風量の冷風をサーバ室ＳＲに供給でき得る。
【００３１】
空調ダクト１０は、サーバラック３と反対側から吹出口７Ｂに連通しているので、ＩＣＴ装置１の保守・点検を行う際に、空調ダクト１０が当該作業の阻害要因になることを抑制でき得る。
【００３２】
空調機７と空調ダクト１０とは、所定寸法以上、離隔している。これにり、作業員は、例えば、フィルタ７Ｃ交換等の空調機７の保守・点検を容易に行うことができる。
空調ダクト１０は、第１ダクト部１１、第２ダクト部１２及び分配ダクト部１３等を有して構成されている。これにより、施工業者等は、空調ダクト１０の設置工事、及び保守・点検等を容易に行うことが可能となる。
【００３３】
複数の第２ダクト部１２のうちいずれかの第２ダクト部１２に空気が流通することを禁止する場合と空気の流通を許容する場合とを切り替えるための切替装置１４を備える。
これにより、冷風を流通させる第２ダクト部１２、つまり冷風を供給するコールドアイル５を容易に選択することができる。したがって、ＩＣＴ装置１の搭載個数又は搭載位置に変更があった場合であっても、冷風を供給するコールドアイル５を迅速に選択・変更することができる。
【００３４】
（その他の実施形態）
上述の実施形態に係る空調ダクト１０は、第１ダクト部１１、第２ダクト部１２及び分配ダクト部１３等を有して構成されていた。しかし、本願明細書に開示された発明はこれに限定されるものではない。
【００３５】
上述の実施形態では、切替装置１４を備えていた。しかし、本願明細書に開示された発明はこれに限定されるものではない。すなわち、例えば、切替装置１４が廃止された構造であってもよい。
【００３６】
上述の実施形態では、空調機７の上方側にフィルタ７Ｃが設けられ、かつ、空調機７と空調ダクト１０とは、所定寸法以上、離隔していた。しかし、本願明細書に開示された発明はこれに限定されるものではない。すなわち、例えば、フィルタ７Ｃが吹出口７Ｂ側に設けられていてもよい。
【００３７】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。また、空調機７の台数及び配置構成等も図１等に示された構成に限定されるものではない。
【符号の説明】
【００３８】
１… ＩＣＴ装置  ３… サーバラック  ５… コールドアイル
７… 空調機  ７Ａ… 吸気口  ７Ｂ… 吹出口  ７Ｃ… フィルタ
１０… 空調ダクト  １１… 第１ダクト部  １２… 第２ダクト部
１３… 分配ダクト部  １４… ダンパー（切替装置）
【図１】
2018169115.tif 000003
【図２】
2018169115.tif 000004
【図３】
2018169115.tif 000005